(57)【要約】      （修正有）【課題】子供たちに新たな興味深い娯楽をもたらし、遊びの中で子供たちに全く新しい遊技機体験を提供する。【解決手段】遊技機のスイングボート装置は船体１、スイングフレーム２および基礎フレーム体３を備える。船体１はスイングフレーム２上に配置される。スイングフレーム２は基礎フレーム体３の２端に設置される軸受け４を介して基礎フレーム体３上に搭載される。基礎フレーム体３上にはさらにスイング駆動機構が設置される。スイング駆動機構は、スイングフレーム２に連結され、軸受け４回りで左方向および右方向にスイングフレーム２を揺らす。スイングボート装置が遊技機に適用されると、スイングフレーム２は左方向および右方向に揺れることができる。こうして新たな興味深い娯楽体験が子供たちに与えられる。しかも、スイングボート装置は、手ごろな価格の構造、高い安全性および信頼性を有する。【選択図】図１
2016112401.tif 000002
【特許請求の範囲】
【請求項１】
基礎フレーム体（３）と、
前記基礎フレーム体（３）の２端に設置される軸受け（４）を介して前記基礎フレーム体（３）上に搭載されるスイングフレーム（２）と、
前記基礎フレーム体（３）上に設置されて前記スイングフレーム（２）に連結され、前記軸受け（４）回りで左方向および右方向に前記スイングフレーム（２）を揺らすスイング駆動機構と、
前記スイングフレーム上に配置される船体（１）と、
を備えることを特徴とする遊技機のスイングボート装置。
【請求項２】
請求項１に記載のスイングボート装置において、前記スイング駆動機構は、
前記基礎フレーム体（２）上に搭載されるモーター（５１）と、
前記モーター（５１）に結合される偏心輪（５２）と、
２端にジョイント軸受け（５３）を有し、前記スイングフレーム（２）に前記偏心輪（５２）を連結する連結ロッド（５４）と、
を備えることを特徴とするスイングボート装置。
【請求項３】
請求項２に記載のスイングボート装置において、前記スイング駆動機構は、前記基礎フレーム体（３）上で前記偏心輪（５２）に向き合う位置に配置され、前記偏心輪（５２）の位置情報を検出し取得する光電センサー（５５）をさらに備えることを特徴とするスイングボート装置。
【請求項４】
請求項１〜３のいずれか１項に記載のスイングボート装置において、前記船体（１）は緩衝用の支持板（６）を介してスイングフレーム（２）上に配置されることを特徴とするスイングボート装置。
【請求項５】
請求項１に記載のスイングボート装置において、前記スイングフレーム（２）は平面視で矩形に形成されることを特徴とするスイングボート装置。
【請求項６】
請求項１に記載のスイングボート装置において、前記軸受け（４）は、前記基礎フレーム体（３）の２端に配置されるラック（３１）上に配置されることを特徴とするスイングボート装置。
【発明の詳細な説明】
【技術分野】
【０００１】
本発明は、スイング装置に関し、特に、遊技機のスイングボート装置に関する。
【背景技術】
【０００２】
子供の乗り物は子供に深く愛される娯楽設備の１つである。こうした乗り物の多くは車体や船体、機体などを模して設計される。車体や船体、機体はモーターで駆動され上下に揺れる。車体や船体、機体に座った子供は車体や船体、機体とともに上下に揺らされる。車体や船体、機体が上下に揺れると同時に、揺れに同調して音楽が流され、子供の楽しみはさらに増長される。しかしながら、従来の子供の乗り物は、車体や船体、機体を真似て上下方向に動くだけなので、単調な印象を避けることができず、乗っていても一本調子であって、すぐに飽きられてしまう。したがって、新しいタイプのスイング装置が確立され、遊びの中で子供たちにもっと楽しい時間をもたらすことが望まれている。
【発明の概要】
【発明が解決しようとする課題】
【０００３】
本発明は、従来技術の欠点を克服するためになされたもので、遊技機のスイングボート装置を提供する。スイングボート装置は、遊技機に適用され、子供たちに新たな興味深い娯楽をもたらし、遊びの中で子供たちに全く新しい遊技機体験を提供する。
【課題を解決するための手段】
【０００４】
本発明は以下の技術的構成に基づき実現される。遊技機のスイングボート装置は船体、スイングフレームおよび基礎フレーム体を備える。船体はスイングフレーム上に配置される。スイングフレームは基礎フレーム体の２端に設置される軸受けを介して基礎フレーム体上に搭載される。基礎フレーム体上にはさらにスイング駆動機構が設置される。スイング駆動機構は、スイングフレームに連結され、軸受け回りで左方向および右方向にスイングフレームを揺らす。
【０００５】
好ましくは、スイング駆動機構は、基礎フレーム体上に搭載されるモーターと、モーターに結合される偏心輪と、２端にジョイント軸受けを有する連結ロッドとを備える。偏心輪は連結ロッドによってスイングフレームに連結される。
【０００６】
さらに、スイング駆動機構は、偏心輪の位置情報を検出し取得する光電センサーをさらに備える。光電センサーは、基礎フレーム体上で偏心輪に向き合う（近い）位置に配置される。船体は緩衝用の支持板を介してスイングフレーム上に配置される。
【０００７】
好ましくは、スイングフレームは平面視で矩形に形成される。そして、軸受けは、基礎フレーム体の２端に配置されるラック上に配置される。
【０００８】
本発明に係るスイングボート装置は遊技機に適用される。スイングボート装置では船体はスイングフレーム上に配置され、そのスイングフレームは左方向（左回り）および右方向（右回り）に揺れる（スイングする）ことができる。こうして新たな興味深い娯楽体験が子供たちに与えられる。しかも、スイングボート装置は、合理的な構造、高い安全性および信頼性、その他の利点を有する。
【図面の簡単な説明】
【０００９】
【図１】本発明の一実施形態に係るスイングボート装置の構成を概略的に示す模式図である。
【発明を実施するための形態】
【００１０】
以下、当該技術分野における当業者の理解を助けるために、添付図面および実施形態を参照しつつ詳細に本発明を説明する。
【００１１】
図１に示されるように、遊技機のスイングボート装置は船体１、スイングフレーム２および基礎（固定）フレーム体３を備える。船体１はスイングフレーム２上に配置される。スイングフレーム２は、基礎フレーム体３の２端に設置される軸受け４を介して基礎フレーム体３に搭載される。基礎フレーム体３にはさらにスイング駆動機構が設置される。スイング駆動機構は、スイングフレーム２に連結され、軸受け４回りで左方向（左回り）および右方向（右回り）にスイングフレーム２を揺らす（スイングする）。本実施形態では基礎フレーム体３の２端（前方端および後方端）に配置される固定用ラック３１上に軸受け４は配置される。スイングフレーム２は好ましくは平面視で矩形に形成される。
【００１２】
スイング駆動機構は、基礎フレーム体３上に搭載されるモーター５１と、モーター５１に結合される偏心輪５２と、２端（両端）にジョイント軸受け５３を有する連結ロッド５４とを備える。偏心輪５２は連結ロッド５４でスイングフレーム２に連結される。モーター５１が偏心輪５２を駆動すると、偏心輪５２の回転はジョイント軸受け５３の上下動を引き起こす。ジョイント軸受け５３の上下動は軸受け４回りで左回りおよび右回りにスイングフレーム２の揺れを引き起こす。こうして船体１は左方向および右方向に揺れる（スイングする）。
【００１３】
好ましくは、スイング駆動機構は光電センサー５５をさらに備える。光電センサー５５は偏心輪５２の位置情報を検出し取得する。光電センサー５５は偏心輪５２に近い位置（向き合う位置）で基礎フレーム体３上に設置される。こうして光電センサー５５で偏心輪５２の位置情報が取得されると、モーター５１は船体１の停止を制御することができる。船体１はモーター５１の制御に応じて左右につりあった状態で停止することができる。スイングボート装置の安全性および信頼性は高められる。加えて、本実施形態では船体１は緩衝用の支持板６を介してスイングフレーム２上に搭載される。その結果、船体１の揺れにあたって衝撃は和らげられる。こうしてスイングボート装置の安全性はさらに高められ、価格は抑制される。
【００１４】
本発明によって提供されるスイングボート装置は、車体や船体、機体を模した従来のスイングボート装置とは相違する。このスイングボート装置が遊技機に適用されると、新たなスイング式の遊技機は提供され、子供たちにとって新たな興味深い娯楽体験はもたらされる。しかも、スイングボート装置は手ごろな価格で高い安全性および信頼性を有することができる。
【００１５】
以上、本発明の１実施の形態を説明してきたものの、いかなる理由でも本発明は上記実施の形態に限定されるものではなく、特許請求の範囲に記載された本発明の技術思想から逸脱することなく種々な設計変更を実施することができ、そうした変更はいずれも本発明の権利範囲に属する。
【符号の説明】
【００１６】
１…船体、２…スイングフレーム、３…基礎フレーム体、４…軸受け、６…緩衝用支持板、３１…ラック、５１…モーター、５２…偏心輪、５３…ジョイント軸受け、５４…連結ロッド、５５…光電センサー。
【図１】
2016112401.tif 000003